(57)【要約】【課題】  自転車などの構造の簡単な自動発電装置の提供。【解決手段】車輪側に固定されるハブ体１１及び車軸側の固定された殻体１６からなり、該ハブ体には第一磁極セット１及び第二磁性部品１６３を設け、第一磁極セットは車軸、左・右磁極１３，１４より形成し、殻体には第一磁性部品２６３と第二磁極セット２を設け、第二磁極セットは左・右磁極２３，２４により形成し、車輪の回転により、これらの磁極セットと磁性部品は相互に感応して電力が発生する。【選択図】  図1
2005193734.tif 000002
【特許請求の範囲】
【請求項１】
車輪側に固定されるハブ体、
該ハブ体の中心部から外向きに伸びて車軸を相通する中空柱、該ハブ体上に設ける第一磁極セットと第二磁性部品からなり、
該第一磁極セットは、ボビン、左磁極、右磁極により構成し、
該ボビンにはコイル導線が巻回され、コイルの端は第一電源供給装置と接続し、左右の磁極はサークル状を呈して磁極の外側には等間隔で下に伸びる磁極片を設け、左右の磁極を合わせた状態で磁極片は互いに交差して該ボビンを覆ってなるようにして全体をハブ体上に固定し、ハブ体を車輪の中心に固定し、
中心部に車軸を通す穴を設けた殻体、
該殻体上に設けた第二磁極セットと第一磁性部品からなり、該第二磁極セットは、ボビン、左磁極、右磁極により構成し、
該ボビンにはコイル導線が巻回され、コイルの端は、第二電源供給装置と接続し、左右の磁極はサークル状を呈して磁極の外側には等間隔で下に伸びる磁極片を設け、左右の磁極を合わせた状態で磁極片は互いに交差して該ボビンを覆ってなるようにし、
第一磁極セットのボビン、左、右磁極及び第二磁性部品を設けたハブ体と、
第二磁極セットのボビン、左、右磁極及び第一磁性部品を設けた殻体とを
第一磁極セットの左、右磁極の磁極片と第一磁性部品が互いに対応し、第二磁極セットの左、右磁極の磁極片と第二磁性部品と互いに対応し、且つ相互に接触しないように組み合わせることにより、
車輪の回転によってハブ体上の第一磁極セット、第二磁極セットを回転させ、殻体上で固定されて動かない第一磁性部品、第二磁性部品との相互の運動により互いに感応させて電力を発生させることを特徴とする車輪の自動発電装置。
【請求項２】
前記ハブ体に磁極セットを増設し、殻体の上にハブ体の磁極セットと互いに感応する磁性部品を同じく増設したことを特徴とする請求項1記載の車輪の自動発電装置。
【請求項３】
前記ハブ体に磁性部品を増設し、殻体にも、ハブ体の磁性部品と互いに感応する磁極セットを同じく増設したことを特徴とする請求項1記載の車輪自動発電装置。
【請求項４】
前記第一電源供給装置が発光部品であることを特徴とする請求項1記載の車輪の自動発電装置。
【請求項５】
前記第二電源供給装置は、座席後方にライトとして設置することを特徴とする請求項1記載の車輪の自動発電装置。
【請求項６】
前記第二電源供給装置を車体前方にライトとして設置することを特徴とする請求項1を特徴とする請求項1記載の車輪の自動発電装置。
【発明の詳細な説明】
【技術分野】
【０００１】
本発明は、車輪の回転により発電する自動発電装置に係り、特に車輪と車軸側に設けた磁極片と磁性部品の相互感応を利用して電力を発生させる自動発電装置の技術分野に属する。
【背景技術】
【０００２】
公知の車輪用発電装置は小型化、軽量化等してきているが、しかしながら使用できる電力量も少なくなり、改善すべき欠点である。
例えば車輪のほかの場所に、二つ以上の電気供給を必要とする電子設備を設ける、或いは車輪と車体に、二種類以上の異なる機能のライトをつけた場合、供給する電力が不足する、或いは設置した位置が接続できないことがおこりうる欠点を克服できないために、作動できなくなる。
【発明の開示】
【発明が解決しようとする課題】
【０００３】
したがって、本発明の主な目的は、車体上にある他の装置にも電源を供給でき、複数の磁極セットと磁性部品を増設できる車輪の自動発電装置の提供を課題とする。
【課題を解決するための手段】
【０００４】
本発明は、上記の課題を解決するため、車輪の回転により、磁極セットと磁性部品が互いに感応して電力が生まれる車輪の自動発電装置を提供する。
【発明の効果】
【０００５】
本発明によると、車輪と車軸側に設けた磁極片と磁性部品の相互の感応作用を利用して小さな負荷により電力を発生させるという効果を有する。
【発明を実施するための最良の形態】
【０００６】
本発明の実施例を図に沿って説明する。図１、２、３、４、５に示すように、ハブ体11、該ハブ体の中心部から外向きに伸びて車輪の軸19を入れる中空柱111、該ハブ体11の周縁に沿って溝113を設け、該溝113に二つの中空管114を固定して設け、該ハブ体11に対して該溝113に二つのカギ状部品115の鉤状の一端をそれぞれ該溝113の中に引っ掛けてスポーク191を巻いてもう片端を溝113に差込み、それによってハブ体11を車輪の中心部に固定する。
【０００７】
第一磁極セット1、
該磁極セット1は、ボビン12、左磁極13及び右の磁極14により形成し、該ボビン12の断面は工字型を呈し、その周面の回りにコイル導線121を巻き、該ボビン12の両面には数個の凸縁部122を設け、左、右の磁極13、14はサークル状を呈し、磁極の外側に等間隔で延長される複数枚の磁極片131、141は、それぞれ互いに交差する。二つの磁極の両面には数個の穴132、142を開け、ボビン12の凸縁部122と互いに組合せることができる。ボビン12をしっかりと二つの磁極の間に挟んで左右の磁極13、14及びボビン12を組合せた後、全体をハブ体11中空柱111の外側に被せる。
【０００８】
第二磁性部品163、
該第二磁性部品163は、ハブ体11に設置されている。
ハブ体11の中空管114の中に栓116を入れ、該栓116には二つの穴116aを開け、1色或いは数色の発光部品117の挿着部117aを挿し込むのに用いる。上記のボビン12に巻いている導線121の端123a、123bを、発光部品117の挿着部117aと接続し、発光部品117をハブ体11の中空管114の中に固定する。ライトガイド15の末端を上記の中空管114の中に挿し込み、ライトガイド15の末端内側は、発光部品117を入れることができる。ライトガイド15の上辺にはフック151を設けて該フック151を車輪のリム192上に固定する。かつ、フック151はスポーク191にも引っ掛けることにより、ライトガイド15を固定する。
殻体16、
該殻体１６の中心には穴161を開けられており、車軸19を挿通して固定するためのものである。殻体16には二つの穴164、165を開け、二つの穴164、165の上に二つの凸部品167、168を設け、その先端に設けた凹部品124a、125aの電線124、125を接続することに用い、電線124とライト118のピン118aと接続し、電線125とライト118のピン118bと接続する。
【０００９】
第二磁極セット2、
該第二磁極セット2は、ボビン22、左磁極23及び右磁極24によって組立てられている。ボビン22の縦の断面は工字型を呈しており、その中央部の回りには導線221を巻いている。ボビン22の両面には数個の凸縁部222を設置し、左、右磁極23、24はサークル状を呈し、磁極の外側を等間隔で下に延伸する数枚の磁極片231、241は、それぞれ互いに交差する。二つの磁極の両面には数個の穴232、242を開け、ボビン22の凸縁部222と互いに組合せることができる。ボビン22をしっかりと二つの磁極の間に挟み、左右の磁極23、24及びボビン22を組合せた後、全体を殻体16の中に入れる。ボビン22を巻いている導線221の端223aを前述の凸部品167とそれぞれ接続し、ボビン22を巻いている導線221の端223bは、前述の凸部品168と接続する。
【００１０】
第一磁性部品263、
該第一磁性部品263は、殻体16の上に組立てられる。
組立てる時、殻体16を調整し、第一磁極セット1のボビン12、左、右磁極13、14及び第二磁性部品163を接触しないように、殻体16の中に入れる。第二磁極セット2のボビン22、左、右磁極23、24及び第一磁性部品263を接触しないように、ハブ体11の中に入れる。第一磁極セット1の左、右磁極13、14の磁極片131、141と第一磁性部品263とが対応し、第二磁極セット2の左、右磁極23、24の磁極片231、241と第二磁性部品163とが対応する。カギ状部品115の片端をまず溝113の中に引っ掛けてから、スポーク191を取り囲むように跨いで、もう片端を溝113に差込み、それによってハブ体11を車輪の中心部に固定する（図３）。最後に車輪の軸19の外側を車体110と接続し、ナット193で固定する。
車輪の回転により、ハブ体11にある第一磁極セット1及び第二磁性部品163が回り、固定して動かない殻体16にある第二磁極セット2及び第一磁性部品263が互いに感応して電力を発生させる。更にボビン12の上を巻いている導線121の端123a、123bと発光部品117の挿着部117aとを接続し、発光部品117を発光させる。また、ボビン22に巻いている導線221の端223aが凸縁部品167と接続し、ボビン22を巻いている導線221の端223bと凸縁部品168と接続し、先端に凹部品124a、125aを設置している電線124、125をそれぞれ凸縁部品167、168を接続したのち、電線124とライト118のピン118aを接続し、電線125とライト118のもうひとつのピン118bを接続し、ライト118を発光させる。よって、第二磁性部品163、第一磁極セット1、第二磁極セット2及び第一磁性部品263により、本発明は車輪上にある発光部品117だけでなく、車体110にあるライト118へも電源を提供することができる。
【００１１】
このほか、前述の最良実施例であるライト118は、座席の後方に設けているが、そこに限られるものではない。該ライト118は、図６に示すように、車体110の前方にも設置することでき、また、車体の如何なる場所のライトや、如何なる場所にも電源を供給することができる装置である。
【００１２】
また、ハブ体11には磁極セットを増設し、殻体16にもハブ体11の磁極セットと互いに対応する磁性部品を増設することができ、必要に応じ、ハブ体11に磁性部品を増設し、殻体16にもハブ体11の磁性部品と互いに対応する磁極セットを増設することができる。
【図面の簡単な説明】
【００１３】
【図１】本発明における立体分解図である。
【図２】本発明における立体組立て図である。
【図３】本発明の車輪軸における立体組立て図である。
【図４】本発明の車輪軸における断面図である。
【図５】本発明において、ライトを座席後方に設置した立体組立て図である。
【図６】本発明において、ライトを車体前方に設置した組立て図である。
【図７】図６のライトピンの局部拡大図である。
【図８】図６の凹部品の局部拡大図である。
【符号の説明】
【００１４】
１    第一磁極セット
２    第二磁極セット
11    ハブ体
111   中空柱
113   溝
114   中空管
115   カギ状部品
116   栓
116a  穴
117   発光部品
117a  挿着部
118   ライト
118a  ピン
118b  ピン
12    ボビン
121   導線
122   凸縁部
123a  端
123b  端
124   電線
124a  凹部品
125   電線
125a  凹部品
13    左磁極
131   磁極片
132   穴
14    右磁極
141   磁極片
142   穴
15    ライトガイド
151   フック
16    殻体
161   中心穴
163  第二磁性部品
164  穴
165  穴
167  凸縁部品
168  凸縁部品
19   軸
191  輪幅
192  リム
193  ナット
110  車体
22   ボビン
221  導線
222  凸縁部
223a 端
223b 端
23   左磁極
231  磁極片
232  穴
24   右磁極
241  磁極片
242  穴
263  第一磁性部品
【図１】
2005193734.tif 000003
【図２】
2005193734.tif 000004
【図３】
2005193734.tif 000005
【図４】
2005193734.tif 000006
【図５】
2005193734.tif 000007
【図６】
2005193734.tif 000008
【図７】
2005193734.tif 000009
【図８】
2005193734.tif 000010